(57)【特許請求の範囲】
【請求項１】
利用者の要求に応じてクーポン券情報を発行するクーポン券情報発行システムにおいて、
発行すべきクーポン券情報であって複数の属性を有するクーポン券情報であって、前記クーポン券情報の前記複数の属性を示すテーブルであって、併用の可否を含む当該複数の属性それぞれについて属性項目およびその内容が規定されたテーブルと対応付けられているクーポン券情報を記憶する記憶手段と、該記憶しているクーポン券情報を送信する送信手段とを含むサービス提供サーバと、
該サービス提供サーバが送信するクーポン券情報を受信可能な受信手段と、該受信したクーポン券情報を表示する表示手段とを含む受信機と、
該受信機が表示したクーポン券情報を、利用者の選択によりダウンロードして格納可能な格納手段を有する利用者端末とを備え、
前記受信機は、
前記利用者が設定したクーポン券受信条件を、前記利用者端末から取得し、
前記クーポン券受信条件を前記クーポン券情報が満たしているかを判断し、
満たしている場合に、前記受信手段により前記クーポン券情報を受信し、
前記利用者端末は、
前記複数の属性から所定の属性を特定し、
前記利用者から指定されたクーポン券情報を表示し、
前記テーブルを用いて、前記格納手段に格納されているクーポン券情報から、前記複数の属性のうち前記所定の属性以外の属性について、表示されたクーポン券情報の属性と同一内容の属性を有し、表示されたクーポン券情報と併用可能なクーポン券情報を抽出し、
前記テーブルを用いて、抽出されたクーポン券情報および表示されたクーポン券情報を、前記所定の属性の内容に従ってソートして表示することで併用可能なクーポン券情報を前記利用者に複数提示することを特徴とするクーポン券情報発行システム。
【請求項２】
請求項１に記載のクーポン券情報発行システムにおいて、
前記特定の属性は、前記クーポン券情報の有効期限であり、
前記利用者端末は、前記有効期限が到来する順で前記クーポン券情報のソートを実行することを特徴とするクーポン券情報発行システム。
【請求項３】
請求項１に記載のクーポン券情報発行システムにおいて、
前記特定の属性は、前記クーポン券情報の示す割引率であり、
前記利用者端末は、前記割引率の高い順で前記クーポン券情報のソートを実行すること
を特徴とするクーポン券情報発行システム。
【請求項４】
利用者の要求に応じてクーポン券情報を発行するクーポン券情報発行システムを構成する受信装置であって、
発行すべきクーポン券情報であって複数の属性を有するクーポン券情報であって、前記クーポン券情報の前記複数の属性を示すテーブルであって、併用の可否を含む当該複数の属性それぞれについて属性項目およびその内容が規定されたテーブルと対応付けられているクーポン券情報を記憶する記憶手段と、該記憶しているクーポン券情報を送信する送信手段とを含むサービス提供サーバおよび、前記受信機で受信したクーポン券情報を利用者の選択によりダウンロードして格納可能な格納手段を有する利用者端末と接続され、
該サービス提供サーバが送信するクーポン券情報を受信可能な受信手段と、
該受信したクーポン券情報を表示する表示手段と、
前記利用者が設定したクーポン券受信条件を、前記利用者端末から取得する手段と、
前記クーポン券受信条件を前記クーポン券情報が満たしているかを判断する手段と、
満たしている場合に、前記受信手段により前記クーポン券情報を受信するよう制御する手段と、
受信したクーポン券情報を前記利用者端末に送信する手段とを有し、
前記利用者端末が、前記複数の属性から所定の属性を特定し、前記利用者から指定されたクーポン券情報を表示し、前記格納手段に格納されているクーポン券情報から、前記複数の属性のうち前記所定の属性以外の属性について、表示されたクーポン券情報の属性と同一内容の属性を有し、当該表示されたクーポン券情報と併用可能なクーポン券情報を、前記テーブルを用いて抽出し、抽出されたクーポン券情報および表示されたクーポン券情報を、前記テーブルを用いて前記所定の属性の内容に従ってソートして表示することで併用可能なクーポン券情報を前記利用者に複数提示することを可能とする受信装置。
【請求項５】
利用者の要求に応じてクーポン券情報を発行するクーポン券情報発行システムを構成する利用者端末装置において、
発行すべきクーポン券情報であって複数の属性を有するクーポン券情報であって、前記クーポン券情報の前記複数の属性を示すテーブルであって、併用の可否を含む当該複数の属性それぞれについて属性項目およびその内容が規定されたテーブルと対応付けられているクーポン券情報を記憶する記憶手段と、該記憶しているクーポン券情報を送信する送信手段とを含むサービス提供サーバと、該サービス提供サーバが送信するクーポン券情報を受信可能な受信手段と、該受信したクーポン券情報を表示する表示手段とを含む受信機と接続され、
前記受信機に、利用者が設定したクーポン券受信条件を通知する手段と、
前記受信機から、当該受信機において、前記クーポン券受信条件を満たしていると判断され前記サービス提供サーバから受信し、表示されたクーポン券情報を、利用者の選択によりダウンロードして格納する格納手段と、
前記複数の属性から所定の属性を特定する手段と、
前記格納手段に格納されたクーポン券情報のうち、前記利用者から指定されたクーポン券情報を表示する手段と、
前記テーブルを用いて、前記格納手段に格納されているクーポン券情報から、前記複数の属性のうち前記所定の属性以外の属性について、表示されたクーポン券情報の属性と同一内容の属性を有し、当該表示されたクーポン券情報と併用可能なクーポン券情報を抽出する手段と、
前記テーブルを用いて、抽出されたクーポン券情報および表示されたクーポン券情報を、前記所定の属性の内容に従ってソートして表示する手段とを有することによりことで併用可能なクーポン券情報を前記利用者に複数提示することを特徴とする利用者端末装置。
【請求項６】
請求項５に記載の利用者端末装置において、
前記特定の属性は、前記クーポン券情報の有効期限であり、
前記ソートして表示する手段は、前記有効期限が到来する順で前記クーポン券情報のソートを実行することを特徴とする利用者端末装置。
【請求項７】
請求項５に記載の利用者端末装置において、
前記特定の属性は、前記クーポン券情報の示す割引率であり、
前記ソートして表示する手段は、前記割引率の高い順で前記クーポン券情報のソートを実行することを特徴とする利用者端末装置。
【発明の詳細な説明】
【０００１】
【発明の属する技術分野】
本発明は、ネットワークやデジタル放送を通じて提供されるクーポン券情報の発行、表示システムに関する。
【０００２】
【従来の技術】
従来は、特開2001-256388号公報に記載されているように、携帯電話からネットワークを通じてサーバシステムにアクセスし、表示されたクーポンをダウンロードしている。このクーポンにはバーコードが表示されており、店舗ではこのバーコードをリーダで読み、さらにネットワークを介してサーバシステムに送ることにより認証を受けることができる。
【０００３】
【発明が解決しようとする課題】
上記従来技術では、利用者の希望に沿ってクーポンを発行したり、利用者ごとに発行条件を設定したりするといった発行管理ができない。また、利用者が複数のクーポン券情報を有している場合に、どれを利用すれば効率的かを利用者自身が判断しなければならなかった。
【０００４】
本発明の目的は、クーポン券情報を利用者の希望条件に沿って発行したり、利用者の属性によって発行条件を設定したりできるクーポン券情報発行システムを提供することにある。
【０００５】
本発明の他の目的は、利用者が有する複数のクーポン券情報について効率的な利用ができるようなクーポン券情報表示システムを提供することにある。
【０００６】
【課題を解決するための手段】
上記目的を解決するために本発明は、サービス提供者が発行する広告情報付きクーポン券情報のうち、利用者があるクーポン券情報を選択すると、サービス提供者側のクーポン券情報発行条件や、利用者側のクーポン券情報受信条件を判断して、条件を満たす場合に、広告情報付きクーポン券情報を発行して、その利用者の受信機に送信する構成を採用した。また受信機または利用者端末に格納されている複数のクーポン券情報を、クーポン券情報ごとの有効期限や割引率をもとにソートし、表示する構成を採用した。
【０００７】
【発明の実施の形態】
以下、本発明の一実施の形態を図面に基づいて詳細に説明する。
【０００８】
（実施例１）
図１は、本発明の一実施形態であるクーポン券情報の発行システムの概要を示す図である。テレビショップ１０１は、広告情報付きクーポン券情報を発行する企業であり、サービス提供者１０２に広告情報付きクーポン券情報を送信する。サービス提供者１０２は、例えば放送局であり、テレビショップ１０１から受信した広告情報付きクーポン券情報を、テレビ放送を利用して、放送などを受信する受信機である利用者デジタルテレビ１０３へ送信する。利用者デジタルテレビ１０３では、広告情報とクーポン券情報を分離して格納する。デジタルテレビが受信したクーポン券情報は、無線技術により、利用者が有する端末の一種である利用者携帯電話１０４に転送することができる。
【０００９】
図２は、本発明の実施形態におけるシステム構成を示す図である。サービス提供サーバ２０１には、複数の企業から提供された広告情報付きクーポン券情報Ａ２０２、広告情報付きクーポン券情報Ｂ２０３、および広告情報付きクーポン券情報Ｃ２０４が格納されている各データベースが接続されている。各クーポン券情報データベースは、１つのハードディスクに格納されていても良い。このサービス提供サーバ２０１は、デジタル放送や通信回線などにより、利用者デジタルテレビ２０５と情報連携が可能になっている。利用者デジタルテレビ２０５には、広告情報データベース２０６とクーポン券情報データベース２０７が接続され、サービス提供サーバ２０１から送信された広告情報付きクーポン券情報Ａ２０２が、広告情報とクーポン券情報に分けて各データベースに格納される。また、利用者デジタルテレビ２０５には、ＩＤ情報２０８が格納されているデータベースも接続されている。この利用者デジタルテレビ２０５は、無線システムなどによって情報連携が可能な利用者携帯電話２０９と通信することができる。利用者携帯電話２０９には、利用者デジタルテレビ２０５に接続されているデータベースと同様に、広告情報Ａ２１０、クーポン券情報Ａ２１１、およびＩＤ情報２１２が格納されているデータベースがそれぞれ格納されている。ＩＤ情報２０８とＩＤ情報２１２は、一般的には異なる情報が格納されており、また、利用者が自由に書き換えられない。通常、前者のＩＤ情報には、デジタルテレビの入会者を識別するための利用者コードや会員番号に利用者の属性情報が組み合わされたものが使われ、後者のＩＤ情報には、電話番号に利用者の属性情報が組み合わされたものが使われる。なお、データベース２１０〜２１２に格納される情報は、携帯電話２０９内に記憶されていてもよく、また図２において、利用者携帯電話２０９の代わりに携帯電話会社が設置する携帯電話サーバがあり、その携帯電話サーバに各データベース２１０〜２１２がそれぞれハードディスクに格納されていて、そのハードディスクは携帯電話サーバに接続されており、携帯電話サーバが、そのハードディスクから情報を取り出し、利用者携帯電話に送信して、利用者携帯電話が受信する構成にしても良い。なお、利用者デジタルテレビ、利用者携帯電話ともに、広告情報とクーポン券情報とが格納されているデータベースは、１つのハードディスクに記憶されていても良い。
【００１０】
図３は、図２におけるサービス提供サーバ２０１の機能ブロック図である。サービス提供サーバのプロセッサ３０１には、発行プログラム３０２および本人確認プログラム３０３が格納されている。また、このシステムには、キーボード３０４、ディスプレイ３０５、およびハードディスク３０６が接続されている。発行プログラム３０２は、ハードディスク３０６に記憶されている広告情報付きクーポン券情報をどの利用者デジタルテレビにどのように発行するかを決めるものである。本人確認プログラム３０３は、利用者デジタルテレビや利用者携帯電話に格納されているＩＤ情報に基づいて、利用者が本人であるか否かを確認するものである。キーボード３０４、ディスプレイ３０５、およびハードディスク３０６は、通常のパーソナルコンピュータと同様の構成である。
【００１１】
図４は、図２における利用者デジタルテレビ２０５の機能ブロック図である。デジタルテレビのプロセッサ４０１には、表示プログラム４０２、利用プログラム４０３、および本人確認プログラム４０４が格納されている。また、この利用者デジタルテレビには、リモコン４０５、ディスプレイ４０６、通信システム４０７、およびハードディスク４０８が接続されている。表示プログラム４０２は、ハードディスク４０８に格納されている広告情報、クーポン券情報、およびＩＤ情報を、どのように利用者デジタルテレビ２０５に表示するかを決めるプログラムである。利用プログラム４０３は、利用者がクーポン券情報をどのように利用するかを決定する場合に動作するプログラムである。本人確認プログラム４０４は、利用者または第三者により入力された暗証番号で本人確認を行い、ハードディスク４０８に格納されているＩＤ情報の利用を許可するものである。リモコン４０５は、デジタルテレビ専用のリモコンでもよいが、携帯電話をリモコン代わりに利用してもよい。このリモコンは、無線によってデジタルテレビを操作することができる場合もある。ディスプレイ４０６は、クーポン券情報等を１画面で表示できるが、分割して表示することもできる表示手段である。通信システム４０７は、サービス提供サーバ２０１や利用者携帯電話２０９との情報の送受信を行う送信手段及び受信手段である。この通信システム４０７は、サービス提供サーバ２０１に対する通信システム、利用者携帯電話２０９に対する通信システムというように分かれていても良い。また、ハードディスク４０８には、一般的に利用者が自由に書き換えることができないハードディスクやＩＣカード等と、利用者が自由に書き換えられるメモリーカード等がある。
【００１２】
図５は、図２における利用者携帯電話２０９の機能ブロック図である。利用者携帯電話のプロセッサ５０１には、表示プログラム５０２、利用プログラム５０３、および本人確認プログラム５０４が格納されている。また、この利用者携帯電話には、入力ボタン５０５、ディスプレイ５０６、無線システム５０７、およびハードディスク５０８が接続されている。表示プログラム５０２、利用プログラム５０３、および本人確認プログラム５０４は、利用者デジタルテレビのプロセッサ４０１に格納されているものと同様である。入力ボタン５０５は、携帯電話を操作するためのボタンである。ディスプレイ５０６では、画面を表と裏の２面に分けて交互に表示することができる。無線システム４０６は、利用者デジタルテレビとの情報のやりとりを無線で行う場合に用いるものである。また、ハードディスク５０８には、一般的に利用者が自由に書き換えることができないハードディスク等と、利用者が自由に書き換えられるメモリーカード等がある。
【００１３】
次に、デジタルテレビ２０５がサービス提供サーバ２０１から広告情報付きクーポン券情報を受信する際に、広告情報からクーポン券情報を分離して格納する処理を、図６〜図８を用いて説明する。
【００１４】
図６は、広告情報からクーポン券情報を分離して格納する処理フローである。まず、デジタルテレビ２０５は、サービス提供サーバ２０１から広告情報付きクーポン券情報を受信する（ステップ６０１）。受信した画像は、例えば図７に示したようになる。すなわち、広告情報７０１には、クーポン券情報（１）７０２、クーポン券情報（２）７０３、およびクーポン券情報（３）７０４の３つのクーポン券情報が含まれている。次に、受信した広告情報からクーポン券情報を分離する（ステップ６０２）。分離した画像は図８のようになる。広告情報画面８０１には、コメント８０２のようにクーポン券情報が添付されている旨が示されている。また、クーポン券情報画面８０３には、添付されているクーポン券情報（１）８０４、クーポン券情報（２）８０５、およびクーポン券情報（３）８０６の３つのクーポン券情報が含まれている。次に、分離した広告情報とクーポン券情報をデジタルテレビ２０５のハードディスク２０６、２０７に別々に格納する（ステップ６０３）。
【００１５】
このように、広告情報付きクーポン券情報を受信する際に、広告情報からクーポン券情報を分離して格納することにより、デジタルテレビで広告情報のみを効果的に表示したり、携帯電話にクーポン券情報のみを格納して効率良く利用したりすることが可能になる。
【００１６】
なお、本実施例は、広告情報付きクーポン券情報について説明したが、広告情報の付いていないクーポン券情報を発行することもできる。
【００１７】
次に、サービス提供者が、あらかじめ発行日、発行時間、発行場所、発行対象者、発行数を設定し、発行するクーポン券情報の数が一定以上になった場合に発行を終了する処理を、図９および図１０を用いて説明する。
【００１８】
図９は、発行するクーポン券情報の数が一定以上になった場合に発行を終了する処理フローを示す。まず、サービス提供者は、発行日、発行時間帯、発行場所、発行対象者、発行数を設定する（ステップ９０１〜ステップ９０５）。設定内容は、例えば図１０のようになる。次に、上記のように設定された設定内容に基づいてクーポン券情報を発行し（ステップ９０６）、発行数を超えたかを判断し（ステップ９０７）、超えていれば発行処理を終了する。
【００１９】
このように、サービス提供者があらかじめ発行日、発行時間、発行場所、発行対象者、発行数を設定することにより、発行するクーポン券情報の数を超えた時点で発行を終了することができるようになる。
【００２０】
次に、サービス提供者が不特定多数の送信先にクーポン券情報を同報送信し、あらかじめ利用者が設定したクーポン券情報を受信する条件を満たす場合のみクーポン券情報を発行する処理を、図１１および図１２を用いて説明する。
【００２１】
図１１は、処理フローを示す。まず、サービス提供サーバは、不特定多数のデジタルテレビにクーポン券情報を同報送信する（ステップ１１０１）。次に、デジタルテレビは、あらかじめ利用者によって設定されて携帯電話に格納されている、クーポン券情報を受信する条件であるクーポン券情報の種類、割引金額、利用可能対象者人数、利用対象店舗、有効期限等の情報を携帯電話から取得する（ステップ１１０２〜ステップ１１０６）。あらかじめ利用者が設定したクーポン券情報を受信する条件は図１２の通りである。図１２では、クーポン券情報の種類を割引クーポン、割引金額を２００円以上、利用可能対象人数が５名以上などの条件が設定されている。次に、デジタルテレビは、同報送信されたクーポン券情報に対して、これらすべての条件を満たしているか判断し（ステップ１１０７）、満たしていればクーポン券情報を発行する（ステップ１１０８）。満たしていなければクーポン券情報は発行されない。
【００２２】
このように、サービス提供者が不特定多数の送信先にクーポン券情報を同報送信しても、あらかじめ利用者が設定したクーポン券情報を受信する条件を満たす場合のみクーポン券情報が発行されるため、利用者は、不要なクーポン券情報の受信を拒否できるようになる。
【００２３】
次に、サービス提供サーバが、利用者１人に対して発行可能な数情報を取り込み、利用者に発行可能な数のクーポン券情報を発行する処理フローを、図１３を用いて説明する。
【００２４】
まず、サービス提供サーバは、デジタルテレビや携帯電話に格納されているＩＤ情報に基づいてサービス提供者が決めることができる利用者１人に対して発行可能な数を取り込む（ステップ１３０１）。次に、利用者に発行可能な数のクーポン券情報を送信する（ステップ１３０２）。この場合に送信されたクーポン券情報の受信は、デジタルテレビと携帯電話のどちらでも可能である。
【００２５】
このように、利用者１人に対して発行可能な数を取り込むことにより、利用者に発行可能なクーポン券情報を適正な数だけ発行することができるようになる。
【００２６】
次に、利用者が家族の代表者であれば、代表者のみに家族向けのクーポン券情報を発行し、代表者以外の家族には重複して発行しない処理を、図１４〜図１６を用いて説明する。
【００２７】
図１４は、処理フローを示す。まず、サービス提供サーバは、デジタルテレビや携帯電話に格納されているＩＤ情報の中から、利用者の家族情報を取得する（ステップ１４０１）。利用者の家族情報は例えば図１５のようになる。次に、その利用者が家族の代表者か判断し（ステップ１４０２）、代表者であれば家族向けクーポン券情報を代表者のみに、代表者が所有する携帯電話に送信する（ステップ１４０３）。例えば、図１６のような利用者の子供の家族情報を取得して、子供が家族の代表者でなければ、子供にクーポン券情報は発行されない。この場合、クーポン券情報を代表者の携帯電話に直接送信しても良いし、一旦デジタルテレビに送信し、デジタルテレビ経由で代表者の携帯電話に送信しても良い。
【００２８】
このように、クーポン券情報を受信する条件に家族の代表者を設定することにより、家族の代表者のみにクーポン券情報を発行することができる。たとえ家族の一員であっても、代表者でない子供が受信しようとしても受信できないようになる。
【００２９】
次に、クーポン券情報を発行した後、類似のクーポン券情報を再度発行する場合、割引金額、有効期限など変更を要する項目のみ更新する処理を、図１７および図１８を用いて説明する。
【００３０】
図１７は、処理フローを示す。まず、デジタルテレビは、サービス提供者から、既に発行したクーポン券情報に係わる各種条件の更新指示を取得する（ステップ１７０１）。次に、取得した更新指示に基づいて、ハードディスクに格納されている割引金額、有効期限を更新する（ステップ１７０２〜ステップ１７０３）。クーポン券情報の条件更新前および条件更新後のテーブルは図１８の通りである。上のテーブルが更新前であり、下のテーブルが更新後である。
このように、クーポン券情報を発行した後に類似のクーポン券情報を再度発行する場合であっても、変更を要する項目のみ更新することができるようになる。
【００３１】
（実施例２）
第２の実施例では、発行されたクーポン券情報を表示する場合について説明する。本実施例におけるシステム構成も、図２と同様であり、サービス提供サーバ２０１、利用者デジタルテレビ２０５、利用者携帯電話２０９の機能ブロック図も、それぞれ図３、図４、図５と同様とする。
【００３２】
本実施例において、まず有効期限の到来する順にクーポン券情報を優先的に表示する処理を、図１９〜図２１を用いて説明する。図１９は、処理フローを示す。まず、携帯電話２０９は、利用者の選択入力によって、利用者が利用したいと選択したクーポン券情報をデータベースから抽出して表示する（ステップ１９０１）。次に、表示したクーポン券情報に対して、有効期限を除き内容が同一のクーポン券情報を取得する（ステップ１９０２）。クーポン券情報に係わるテーブルは図２０の通りであり、この例では、クーポン券情報の名称、コメント、会社名、店名、発行数、割引金額、割引率の内容がそれぞれ同一のクーポン券情報を抽出している。この有効期限を除き内容が同一のクーポン券情報をすべて取得したか判断し（ステップ１９０３）、取得した場合は、有効期限によりクーポン券情報のソートを行い（ステップ１９０４）、有効期限の到来する順に並べ替えてクーポン券情報を表示する（ステップ１９０５）。携帯電話の画面にクーポン券情報を表示した例は図２１の通りであり、クーポン券情報画面２１０１は、３つのクーポン券情報を有効期限の到来順に順に表示したものである。
【００３３】
このように、有効期限の到来する順にクーポン券情報を優先的に表示することにより、有効期限を除き内容が同一のクーポン券情報を複数取得しても、有効期限に合わせてクーポン券情報を有効活用することができるようになる。
【００３４】
上記有効期限を割引率に置き換えても同様の処理ができる。その場合は、有効期限の代わりに割引率をキーとしてクーポン券情報の取得およびソートを行う。結果は、図２１のクーポン券情報画面２１０２に示すような表示画面になる。
【００３５】
なお、割引率の高い順にクーポン券情報を優先的に表示する際に、割引率が同一のクーポン券情報が複数あった場合、同一のクーポン券情報を有効期限の到来する順に優先的に表示するなど、キーを組み合わせて行うこともできる。
【００３６】
次に、複数のクーポン券情報の中で、併用できるクーポン券情報があればそれらを同じ画面に表示する処理を、図２２および図２３を用いて説明する。
【００３７】
図２２は、処理フローである。まず、利用者携帯電話２０９は、利用者の選択入力によって、利用者が利用したいと選択したクーポン券情報をデータベースから抽出して表示し（ステップ２２０１）、表示されているクーポン券情報と併用できるクーポン券情報があるか検索する（ステップ２２０２）。併用できるか否かは、クーポン券情報に係わるテーブルが記載されている図２０（本実施例においては項目９）において、「併用可」となっているクーポン券情報が対象となる。次に、表示されているクーポン券情報と併用できるクーポン券情報があれば、そのクーポン券情報を取得し、表示されているクーポン券情報のほかに併用可能なクーポン券情報を同時表示する（ステップ２２０３）。併用できるクーポン券情報を利用者携帯電話２０９の表示画面に同時表示した例は図２３の通りであり、クーポン券情報画面２３０１は、最初に表示したクーポン券情報２３０２に、併用できる２つのクーポン券情報２３０３とクーポン券情報２３０４を同時表示したものである。ここで、利用者がデジタルテレビ２０５を見て操作している場合、併用できるクーポン券情報をデジタルテレビ２０５のディスプレイ４０６に同時表示するようにしても良い。
【００３８】
このように、複数のクーポン券情報の中から、併用できるクーポン券情報を抽出することにより、クーポン券情報を有効活用することができる。
【００３９】
次に、クーポン券情報を表示可能回数残が０になるまで表示する処理を、図２４〜図２６を用いて説明する。
【００４０】
図２４は処理フローを示す。まず、携帯電話２０９は、利用者の選択入力によって、利用者が利用したいと選択したクーポン券情報をデータベースから抽出する（ステップ２４０１）。次に、デジタルテレビまたは携帯電話のハードディスクに格納されている表示可能回数または表示可能回数残情報を読み出し（ステップ２４０２）、利用者が選択したクーポン券情報が表示可能か否かを判断する（ステップ２４０３）。表示可能である場合は、利用者が選択したクーポン券情報を携帯電話のディスプレイに表示し（ステップ２４０４）、表示回数を＋１するとともに、表示可能回数残を−１する（ステップ２４０５）。ここで、この表示可能回数及び表示可能回数残は、図２５のクーポン券情報表示前のテーブル２５０１におけるレコード２５０２のようにあらかじめ設定されている。この例では、表示可能回数が５回に設定されている。初期時は、レコード２５０３のように表示回数が０回、レコード２５０４のように表示可能回数残が５回に設定されている。表示したクーポン券情報の例は、図２６の携帯電話画面２６０１の通りであり、この例では、クーポン券情報の残数が４と表示されている。また、クーポン券情報表示後のテーブルは図２５の通りであり、テーブル２５０５は、レコード２５０６のように表示回数が１回、レコード２５０７のように表示可能回数残が４回に更新されている。なお、表示可能回数については、放送局などのサービス提供者が広告情報付きクーポン券情報と一緒にコピー制御信号をデジタルテレビに送信することにより、自由に設定できると同時に、第三者による改竄を防止することができる。
【００４１】
このように、あらかじめクーポン券情報の表示回数を設定することにより、設定回数以上の表示をできなくすることができる。
【００４２】
次に、クーポン券情報を有効期限が過ぎるまで何度でも繰り返し表示する処理フローを、図２７を用いて説明する。まず、携帯電話２０９は、利用者の選択入力によって、利用者が利用したいと選択したクーポン券情報をデータベースから抽出して表示（ステップ２７０１）、図２０で示したようなクーポン券情報に係わるテーブルに設定されている有効期限が到来したか判断し（ステップ２７０２）、到来していなければクーポン券情報を再度表示する。
【００４３】
このように、クーポン券情報を有効期限のみで管理することにより、有効期限までなら何度でも繰り返しクーポン券情報を表示することができるようになる。
【００４４】
次に、暗証番号を入力することにより、クーポン券情報とＩＤ情報を画面上に交互に表示する処理を、図２８〜図３０を用いて説明する。図２８は、処理フローを示す。まず、利用者携帯電話２０９は、利用者の選択入力によって、利用者が利用したいと選択したクーポン券情報を抽出して表示した後に、利用者による利用者携帯電話２０９の入力ボタン５０５からの暗証番号の入力を検知すると（ステップ２８０１）、表示されたクーポン券情報にＩＤ情報を結合する（ステップ２８０２）。このステップにおいて、まず暗証番号の入力を受付け、その後利用者に利用したいクーポン券情報を選択させてからクーポン券情報を表示するようにしても良い。ここでＩＤ情報のテーブルは図２９の通りであり、この例では、携帯電話の一般的なＩＤ情報である電話番号に、名前や性別などの顧客の属性情報があらかじめ設定されている。次に、この結合されたクーポン券情報とＩＤ情報を利用者携帯電話２０９のディスプレイ５０６に交互に表示する（ステップ２８０３）。携帯電話のディスプレイにおいて、クーポン券情報を表の画面として、またＩＤ情報を裏の画面として表示した例は図３０の通りである。クーポン券情報画面３００１には、クーポン券情報の発行対象者が「川崎市民限定」、利用可能対象人数が「５名」であることなどが記載されている。ＩＤ情報画面３００２に示すように、ＩＤ情報のうち発行対象者の「川崎市民限定」と利用可能対象人数の「５名」に関係するものとして、住所に関する記述３００３と家族構成に関する記述３００４に枠が付けられて、利用者がこのクーポン券情報の利用条件に合致しているかどうかを判断することが容易になるように、分かりやすく表示することもできる。画面に交互に表示する時間の間隔は、暗証番号を入力するオペレータが本人か第三者かにより変更することが可能である。例えば、本人が暗証番号を入力する場合は、ＩＤ情報の表示時間を、利用者が平均的にＩＤ情報を認識できるような時間に設定し、クーポン券情報を利用する店の店員などクーポン券情報を確認する第三者が暗証番号を入力する場合は、ＩＤ情報の表示時間を短くする等の設定が可能である。またこの場合、誰がＩＤ情報を見るかによってＩＤ情報の表示位置や文字の大きさを自由に変えるように設定してもよい。誰が暗証番号を入力するかの判定については、暗証番号の入力前に予め入力者に「本人」か「第三者」かを選択入力させてもよい。
【００４５】
このように、ＩＤ情報を利用できる利用者が暗証番号を入力して初めてＩＤ情報を取り出せるようにすることでＩＤ情報のセキュリティが高まる。また、クーポン券情報とＩＤ情報を交互に表示することにより、第三者が利用者とともに画面で本人確認する際も、利用者のＩＤ情報を連続して表示することを避けられるため、利用者がＩＤ情報を読みながらでないと回答できないかどうかが容易に分かり、本人確認の精度を高めることができる。さらに、利用者のＩＤ情報のうち、クーポン券情報の利用条件に合致する項目については確認が済んだとみなして表示を省略し、残った項目についてのみ本人確認することも可能である。そのほか、酒類に係わるクーポン券情報の場合、「ご利用は２０歳以上のお客様に限らせて頂きます。」との条件がある場合は、ＩＤ情報を確認して２０歳未満であれば、クーポン券情報を表示できないようにすることや、表示された西暦の生年月日に基づいて利用者に和暦で質問することができるようになる。
【００４６】
次に、クーポン券情報と広告情報を交互に表示する処理を、図３１および図３２を用いて説明する。図３１は処理フローである。まず、利用者携帯電話２０９は、利用者による利用者携帯電話の入力ボタン５０５からの入力により、利用者がクーポン券情報を利用する旨の情報を取得し（ステップ３１０１）、クーポン券情報に広告情報を結合し（ステップ３１０２）、広告情報とクーポン券情報を交互に表示する（ステップ３１０３）。携帯電話のディスプレイ５０６において、広告情報を表の画面として、またクーポン券情報を裏の画面として表示した例は図３２の通りである。広告情報画面３２０１には、広告の内容のほかにクーポン券情報が添付されていることを示したメッセージ３２０２が表示されている。クーポン券情報画面３２０３には、利用するクーポン券情報３２０４および３２０５が表示されている。この場合、１つのクーポン券情報に対して、複数の広告情報が存在する場合は、複数の広告情報を表示させるようにすることにすると、より広告効果が上がる。
【００４７】
このように、クーポン券情報を利用する際に、関連する広告情報が表示されるようにすることで、利用者に広告を何度も見せる機会を増やすことができるようになる。そのほか、広告情報の表示は、携帯電話に内蔵されている日付情報に対応して、クーポン券情報の有効期限が過ぎた場合は、広告情報を表示させないようにすることもできる。これにより、イメージデータなどデータ量が多い広告情報を、携帯電話などのハードディスクに長期間格納しておかなくて済む。
【００４８】
本実施例において表示されたクーポン券情報を利用者が実際に利用する場合、格納されているクーポン券情報情報と、その利用者のＩＤ情報を組み合わせて利用される店に送信する。この組み合わされた情報が、そのクーポン券情報を発行した企業に転送されることによって、どのような利用者層によってどの種類のクーポンが利用されたかを把握することができ、クーポン券情報を発行する企業は、この情報をマーケティングに活用することができる。
【００４９】
【発明の効果】
本発明によれば、発行条件を満たすようにクーポン券情報を発行することにより、利用者に効率良くクーポン券情報を発行することができるという効果がある。
【００５０】
また本発明によれば、有効期限や割引率により優先的に利用するクーポン券情報を画面に表示して、クーポンを効率的に利用することができるという効果がある。
【図面の簡単な説明】
【図１】  本発明の一実施形態である、クーポン券情報の発行システムの概要図である。
【図２】  本発明の一実施形態であるクーポン券情報発行および利用システムのシステム構成を示す図である。
【図３】  図２におけるサービス提供サーバの機能ブロック図である。
【図４】  図２における利用者デジタルテレビの機能ブロック図である。
【図５】  図２における利用者携帯電話の機能ブロック図である。
【図６】  デジタルテレビが広告情報付きクーポン券情報を受信する際に、広告情報とクーポン券情報とを分離して格納する処理の流れを示すフロー図である。
【図７】  広告情報付きクーポン券情報を受信した画像を示す図である。
【図８】  受信した広告情報付きクーポン券情報を広告情報とクーポン券情報に分離した画像を示す図である。
【図９】  発行するクーポン券情報の数が一定以上になった場合に発行を終了する場合の処理フローである。
【図１０】  サービス提供者が発行条件として設定した内容を示すテーブルである。
【図１１】  クーポン券情報を受信する条件を満たす場合のみクーポン券情報を発行する場合の処理フローである。
【図１２】  クーポン券情報を受信する条件を示すテーブルである。
【図１３】  利用者に発行可能な数のクーポン券情報を発行する場合の処理フローである。
【図１４】  家族の代表者のみに家族向けのクーポン券情報を発行し、代表者以外の家族には重複して発行しない処理の流れを示すフロー図である。
【図１５】  利用者の家族情報を示すテーブルである。
【図１６】  利用者の子供の家族情報を示すテーブルである。
【図１７】  クーポン券情報を発行した後、類似のクーポン券情報を再度発行する場合に、変更を要する項目のみ更新する処理の流れを示すフロー図である。
【図１８】  クーポン券情報の条件更新前および条件更新後のテーブルを示す図である。
【図１９】  有効期限の到来する順にクーポン券情報を優先的に表示する処理の流れを示すフロー図である。
【図２０】  クーポン券情報をソートする際に使用する、クーポン券情報に係わるテーブルを示す図である。
【図２１】  有効期限の到来する順または割引率の高い順にクーポン券情報をソートした結果を携帯電話の画面に表示した図である。
【図２２】  複数のクーポン券情報の中で、併用できるクーポン券情報があれば同時表示する処理の流れを示すフロー図である。
【図２３】  併用できるクーポン券情報を同時表示した画面を示す図である。
【図２４】  クーポン券情報を表示可能回数残が０になるまで表示する処理の流れを示すフロー図である。
【図２５】  クーポン券情報を表示する前の状態を示すテーブルと、クーポン券情報を表示した後の状態を示したテーブルである。
【図２６】  クーポン券情報の残数が示されている携帯電話の画面図である。
【図２７】  クーポン券情報を有効期限が過ぎるまで何度でも繰り返し表示する処理の流れを示すフロー図である。
【図２８】  携帯電話の画面上にクーポン券情報とＩＤ情報を交互に表示する処理の流れを示すフロー図である。
【図２９】  利用者のＩＤ情報を示すテーブルである。
【図３０】  クーポン券情報を表の画面として、またＩＤ情報を裏の画面として表示した携帯電話の画面例である。
【図３１】  携帯電話の画面上に広告情報とクーポン券情報を交互に表示する処理の流れを示すフロー図である。
【図３２】  広告情報を表の画面として、またクーポン券情報を裏の画面として表示した携帯電話の画面例である。
【符号の説明】
２０１：サービス提供サーバ、２０２〜２０４：広告情報付きクーポン券情報格納データベース、２０５：利用者デジタルテレビ、２０６：広告情報かくのうでータベース、２０７：クーポン券情報格納データベース：２０８：ＩＤ情報格納データベース、２０９：利用者携帯電話、
【図１】
0004158370.tif 000002
【図２】
0004158370.tif 000003
【図３】
0004158370.tif 000004
【図４】
0004158370.tif 000005
【図５】
0004158370.tif 000006
【図６】
0004158370.tif 000007
【図７】
0004158370.tif 000008
【図８】
0004158370.tif 000009
【図９】
0004158370.tif 000010
【図１０】
0004158370.tif 000011
【図１１】
0004158370.tif 000012
【図１２】
0004158370.tif 000013
【図１３】
0004158370.tif 000014
【図１４】
0004158370.tif 000015
【図１５】
0004158370.tif 000016
【図１６】
0004158370.tif 000017
【図１７】
0004158370.tif 000018
【図１８】
0004158370.tif 000019
【図１９】
0004158370.tif 000020
【図２０】
0004158370.tif 000021
【図２１】
0004158370.tif 000022
【図２２】
0004158370.tif 000023
【図２３】
0004158370.tif 000024
【図２４】
0004158370.tif 000025
【図２５】
0004158370.tif 000026
【図２６】
0004158370.tif 000027
【図２７】
0004158370.tif 000028
【図２８】
0004158370.tif 000029
【図２９】
0004158370.tif 000030
【図３０】
0004158370.tif 000031
【図３１】
0004158370.tif 000032
【図３２】
0004158370.tif 000033